(57)【要約】テレビジョン放送の受信中に、該放送の受信状態が悪化した場合、表示部に表示される情報がテレビジョン放送から蓄積された映像に変更されたか否かを判断する。変更されたと判断された場合、テレビジョン放送の受信状態を監視して、受信状態が良好な状態に戻った場合、蓄積された映像を表示したままテレビジョン放送も表示し、その後にどの情報を継続して表示させるかを選択する。
2010038277.tif 000002
【特許請求の範囲】
【請求項１】
受信部によって受信した放送波の中の一のチャンネルに対応した信号に基づく情報（以下、「第１情報」という）を表示する表示部を備える情報表示装置において、
前記第１情報が前記表示部に表示されている際に、当該第１情報に対応する信号の受信状態を検知する検知手段と、
前記第１情報に対応する信号の受信状態が悪化した場合、前記表示部に表示される情報が前記第１情報から他の情報（以下、「第２情報」という）に変更されたか否かを判断する判断手段と、
前記表示部に表示される情報が前記第２情報に変更されたと判断された場合、前記第１情報に対応する信号の受信状態が良好な状態に戻ったか否かを監視する監視手段と、
前記第１情報の信号の受信状態が良好な状態に戻った場合、前記第２情報の表示を継続したまま、前記第１情報を前記表示部の一部に再表示する表示制御手段と、
を備えることを特徴とする情報表示装置。
【請求項２】
前記第１情報および前記第２情報が前記表示部に表示されている際に、どちらの情報を当該表示部に表示させるかを選択する指示をユーザから受け付ける受付手段をさらに備え、
前記表示制御手段は、前記受付手段によって受け付けられた選択指示に基づいて、前記第１情報および前記第２情報のいずれかのみを前記表示部に表示することを特徴とする請求項１に記載の情報表示装置。
【請求項３】
前記表示制御手段によって、前記第１情報を前記表示部の一部に再表示してから所定時間が経過したか否かを計時する計時手段をさらに備え、
前記表示制御手段は、前記計時手段によって所定時間が経過したと計時された場合、あらかじめ設定された指示に基づいて、前記第１情報および前記第２情報のいずれかのみを前記表示部に表示することを特徴とする請求項１に記載の情報表示装置。
【請求項４】
前記表示制御手段は、前記第１情報を前記第２情報と同じサイズもしくはより小さいサイズで前記表示部の一部に再表示することを特徴とする請求項１に記載の情報表示装置。
【請求項５】
前記表示制御手段は、前記第１情報を段階的にサイズを変えながら再表示することを特徴とする請求項１に記載の情報表示装置。
【請求項６】
前記判断手段は、前記第１情報に対応する信号の電界強度が所定値以下の場合、前記表示部に表示される情報が前記第１情報から前記第２情報に変更されたか否かを判断することを特徴とする請求項１に記載の情報表示装置。
【請求項７】
前記判断手段は、前記第１情報に対応する信号のエラー率が所定値以上の場合、前記表示部に表示される情報が前記第１情報から前記第２情報に変更されたか否かを判断することを特徴とする請求項１〜６のいずれか一つに記載の情報表示装置。
【請求項８】
受信部によって受信した放送波の中の一のチャンネルに対応した信号に基づく情報（以下、「第１情報」という）を表示する表示部を備える情報表示装置における情報表示方法において、
前記第１情報が前記表示部に表示されている際に、当該第１情報に対応する信号の受信状態を検知する検知工程と、
前記第１情報に対応する信号の受信状態が悪化した場合、前記表示部に表示される情報が前記第１情報から他の情報（以下、「第２情報」という）に変更されたか否かを判断する判断工程と、
前記表示部に表示される情報が前記第２情報に変更されたと判断された場合、前記第１情報に対応する信号の受信状態が良好な状態に戻ったか否かを監視する監視工程と、
前記第１情報の信号の受信状態が良好な状態に戻った場合、前記第２情報の表示を継続したまま、前記第１情報を前記表示部の一部に再表示する表示制御工程と、
を含むことを特徴とする情報表示方法。
【請求項９】
請求項８に記載の情報表示方法をコンピュータに実行させることを特徴とする情報表示プログラム。
【請求項１０】
請求項９に記載の情報表示プログラムを記録したことを特徴とするコンピュータに読み取り可能な記録媒体。
【発明の詳細な説明】
【技術分野】
【０００１】
この発明は、移動体など放送波の受信状態が悪化する可能性のある状況において、放送波を受信して表示する情報表示装置、情報表示方法、情報表示プログラムおよび記録媒体に関する。
【背景技術】
【０００２】
従来、たとえば移動体などの放送波の受信状態が悪化する可能性のある状況において、テレビ放送（テレビジョン放送）やラジオ放送の放送波をアンテナで受信し、受信した放送波からチューナーによって選局されたチャンネルに対応する信号をスピーカおよびディスプレイへ出力する情報表示装置が提案されている。【０００３】
また、テレビ放送やラジオ放送の出力に加え、たとえばＤＶＤ（Ｄｉｇｉｔａｌ  Ｖｅｒｓａｔｉｌｅ  Ｄｉｓｋ）出力やナビゲーション機能などの複数の情報ソースを備えた情報表示装置が提案されている。このような情報表示装置は、テレビ放送やラジオ放送を出力しているときに、たとえば弱電界地域などに入って放送波に含まれる所望のチャンネルに対応する信号の受信レベルが低下し、受信状態が不適切状態になると、別の情報ソース（たとえばナビゲーション機能など）に自動的に切り替える。そして、その後、信号の受信状態が所定の適切状態に復帰した場合には、元の情報ソースであるテレビ放送あるいはラジオ放送の出力に自動的に復帰させる（たとえば、下記特許文献１参照。）。【０００４】
また、放送波の受信状態を検出する受信状態監視部を備え、この受信状態監視部によって検出された放送波の受信状態をディスプレイに表示する情報表示装置が提案されている（たとえば、下記特許文献２参照。）。この情報表示装置においては、受信状態監視部によって検出された放送波の受信状態が良好でない場合、放送波に含まれる所望のチャンネルに対応する放送信号の出力を停止するとともに、当該放送波の受信状態の検出を継続してディスプレイに表示する。【０００５】
【特許文献１】特開２０００−２６１７３１号公報
【特許文献２】特開２００６−３１３９７３号公報
【発明の開示】
【発明が解決しようとする課題】
【０００６】
しかしながら、特許文献１の技術では、たとえばユーザが切り替え後の情報ソースを継続して視聴したい場合でも、元の情報ソースであるテレビ放送やラジオ放送の放送信号の受信状態が所定の適切状態に復帰した場合には、元の情報ソースに自動的に戻されてしまうという問題がある。したがって、ユーザは元の情報ソースに戻った後に、さらに切り替え後の情報ソースに変更しなければならず、手間がかかるという問題がある。【０００７】
また、特許文献２の技術では、たとえばユーザは、放送波に複数のチャンネルに対応する信号が含まれる場合、所望のチャンネルに対応する信号の受信状態が視聴可能な状態に復帰したか否かがわからないという問題がある。また、受信状態が良好か否かの情報のみが報知されるため、たとえば受信状態が復帰したときに、所望のチャンネルにおいてどのような放送がおこなわれているのかは、チャンネルを所望のチャンネルに切り替えて実際に表示させてみないとわからず、手間がかかるという問題がある。
【課題を解決するための手段】
【０００８】
上述した課題を解決し、目的を達成するため、請求項１の発明にかかる情報表示装置は、受信部によって受信した放送波の中の一のチャンネルに対応した信号に基づく情報（以下、「第１情報」という）を表示する表示部を備える情報表示装置において、前記第１情報が前記表示部に表示されている際に、当該第１情報に対応する信号の受信状態を検知する検知手段と、前記第１情報に対応する信号の受信状態が悪化した場合、前記表示部に表示される情報が前記第１情報から他の情報（以下、「第２情報」という）に変更されたか否かを判断する判断手段と、前記表示部に表示される情報が前記第２情報に変更されたと判断された場合、前記第１情報に対応する信号の受信状態が良好な状態に戻ったか否かを監視する監視手段と、前記第１情報の信号の受信状態が良好な状態に戻った場合、前記第２情報の表示を継続したまま、前記第１情報を前記表示部の一部に再表示する表示制御手段と、を備えることを特徴とする。【０００９】
また、請求項８の発明にかかる情報表示方法は、受信部によって受信した放送波の中の一のチャンネルに対応した信号に基づく情報（以下、「第１情報」という）を表示する表示部を備える情報表示装置における情報表示方法において、前記第１情報が前記表示部に表示されている際に、当該第１情報に対応する信号の受信状態を検知する検知工程と、前記第１情報に対応する信号の受信状態が悪化した場合、前記表示部に表示される情報が前記第１情報から他の情報（以下、「第２情報」という）に変更されたか否かを判断する判断工程と、前記表示部に表示される情報が前記第２情報に変更されたと判断された場合、前記第１情報に対応する信号の受信状態が良好な状態に戻ったか否かを監視する監視工程と、前記第１情報の信号の受信状態が良好な状態に戻った場合、前記第２情報の表示を継続したまま、前記第１情報を前記表示部の一部に再表示する表示制御工程と、を含むことを特徴とする。【００１０】
また、請求項９の発明にかかる情報表示プログラムは、請求項８に記載の情報表示方法をコンピュータに実行させることを特徴とする。【００１１】
また、請求項１０の発明にかかる記録媒体は、請求項９に記載の情報表示プログラムをコンピュータに読み取り可能な状態で記録したことを特徴とする。
【図面の簡単な説明】
【００１２】
【図１】図１は、本実施の形態にかかる情報表示装置の機能的構成を示すブロック図である。
【図２】図２は、情報表示装置の情報表示処理手順を示すフローチャートである。
【図３】図３は、本実施例にかかる移動体放送受信装置のハードウェア構成の一例を示すブロック図である。
【図４】図４は、移動体放送受信装置の処理の内容を示すフローチャートである。
【図５】図５は、移動体放送受信装置における情報表示方法の一例について示す説明図である。
【図６】図６は、移動体放送受信装置における第１情報の再表示領域および視覚効果の一例について示す説明図である。
【図７】図７は、移動体放送受信装置における第１情報の再表示領域および視覚効果の他の一例について示す説明図である。
【符号の説明】
【００１３】
１００  情報表示装置
１０１  受信部
１０２  表示部
１０３  検知部
１０４  判断部
１０５  監視部
１０６  表示制御部
１０７  受付部
１０８  計時部
【発明を実施するための最良の形態】
【００１４】
以下に添付図面を参照して、この発明にかかる情報表示装置、情報表示方法、情報表示プログラムおよび記録媒体の好適な実施の形態を詳細に説明する。【００１５】
（実施の形態）
（情報表示装置の機能的構成）
まず、この発明の実施の形態にかかる情報表示装置１００の機能的構成について説明する。図１は、本実施の形態にかかる情報表示装置の機能的構成を示すブロック図である。【００１６】
図１において、情報表示装置１００は、受信部１０１と、表示部１０２と、検知部１０３と、判断部１０４と、監視部１０５と、表示制御部１０６と、受付部１０７と、計時部１０８と、を備えている。受信部１０１は、放送波を受信する。放送波は、たとえばデジタルテレビジョン放送、アナログテレビジョン放送、ラジオ放送、インターネット放送などの情報ソースの放送波であり、複数のチャンネルに対応した信号（たとえば、映像信号や音声信号）を含んでいてもよい。【００１７】
表示部１０２は、映像信号を表示する表示画面を備えている。表示部１０２は、具体的には、受信部１０１によって受信した放送波の中の一のチャンネルに対応した信号に基づく情報（以下、「第１情報」という）を表示する。また、情報表示装置１００がナビゲーション機能を備えている場合、表示画面には、地図データを表示してもよい。ここで、地図データは、図示しない記憶部に記憶されている。地図データは、ノードおよびリンクからなる道路ネットワークデータと、施設や道路その他地形（山、川、土地など）に関するフィーチャを用いて描画される画像データとを含んでいる。地図データは、文字情報、施設の名称や住所などの情報、道路や施設の画像などを含んでいてもよい。【００１８】
検知部１０３は、第１情報が表示部１０２に表示されている際に、受信部１０１によって受信されている第１情報に対応する信号の受信状態を検知する。第１情報に対する信号の受信状態は、具体的には、たとえば第１情報に対する信号の電界強度やエラー率の状態である。【００１９】
判断部１０４は、検知部１０３によって検知された第１情報に対応する信号の受信状態が悪化した場合、表示部１０２に表示される情報が第１情報から他の情報（以下、「第２情報」という）に変更されたか否かを判断する。第２情報は、第１情報と同じ情報ソースの他チャンネルに対応した信号でもよいし、第１情報と異なる情報ソースでもよい。第１情報と異なる情報ソースは、たとえばＤＶＤ（Ｄｉｇｉｔａｌ  Ｖｅｒｓａｔｉｌｅ  Ｄｉｓｃ）、ＨＤ（ハードディスク）、ナビゲーション機能などの放送波を受信しない情報ソースでもよい。また、第１情報がデジタルテレビジョン放送におけるフルセグ（１２セグメント放送）の場合、第２情報は、フルセグよりも受信範囲の広いワンセグ（１セグメント放送）であってもよい。この場合、第１情報と第２情報とは、同一のチャンネルに対応する信号に基づく情報でもよい。【００２０】
判断部１０４は、具体的には、たとえば第１情報に対応する信号の電界強度が所定値以下の場合、表示部１０２に表示される情報が第１情報から第２情報に変更されたか否かを判断する。また、判断部１０４は、第１情報に対応する信号のエラー率が所定値以上の場合、表示部１０２に表示される情報が第１情報から第２情報に変更されたか否かを判断してもよい。なお、表示部１０２に表示される情報の、第１情報から第２情報への変更は、ユーザによる操作を受け付けることで変更してもよいし、自動的に変更してもよい。【００２１】
監視部１０５は、判断部１０４によって表示部１０２に表示される情報が第１情報から第２情報に変更されたと判断された場合、第１情報に対応する信号の受信状態が良好な状態に戻ったか否かを監視する。ここで、良好な状態とは、具体的には、たとえば電界強度が所定値より大きい状態やエラー率が所定値より小さい状態である。なお、受信状態が悪化した際に表示部１０２に表示されている第１情報を特定する特定情報を、図示しない記憶部にあらかじめ記憶しておいてもよい。この場合、監視部１０５は、判断部１０４によって表示部１０２に表示される情報が第１情報から第２情報に変更されたと判断された場合、記憶部に記憶された特定情報に基づいて、受信状態を監視する第１情報を決定してもよい。【００２２】
表示制御部１０６は、第１情報の信号の受信状態が良好な状態に戻った場合、第２情報の表示を継続したまま、第１情報を表示部１０２の一部に再表示する。表示制御部１０６は、たとえば第１情報を第２情報と同じサイズ、もしくは第２情報より小さいサイズで表示部１０２の一部に再表示する。【００２３】
表示制御部１０６は、具体的には、第２情報の表示領域の一部に第１情報を表示してもよいし、第２情報の表示領域と、第１情報の表示領域と、が重ならないように表示してもよい。また、第１情報の表示位置は、第２情報の邪魔をしない位置が好ましい。具体的には、第１情報を第２情報より小さいサイズで表示する場合、第１情報を、たとえば表示画面の上下中左右に表示する。また、第１情報を第２情報と同じサイズで表示する場合、第１情報および第２情報を、たとえば表示画面の上下左右や角部に表示する。なお、第１情報および第２情報の表示位置は、ユーザによって設定可能でもよい。【００２４】
さらに、表示制御部１０６は、第１情報を段階的にサイズを変えながら表示部１０２に再表示してもよい。表示制御部１０６は、具体的には、第１情報の表示領域を徐々に大きくして、ユーザからの操作を受け付けない場合、第１情報のみを表示部１０２に表示させるようにしてもよい。また、表示制御部１０６は、具体的には、第１情報の表示領域を徐々に小さくして、ユーザからの操作を受け付けない場合、第２情報のみを表示部１０２に表示させるようにしてもよい。この場合、第１情報の表示領域の大きさを何度か元の大きさに戻してもよい。このようにすることで、第１情報が再表示されたことをユーザが見逃すのを防ぐことができる。【００２５】
また、表示制御部１０６は、第１情報の表示領域を表示画面の端部からスライドさせて、徐々に大きくしてもよい。この場合、第２情報の表示領域を、第１情報の表示領域の増大に伴い減少するようにして、ユーザからの操作を受け付けない場合、第１情報のみを表示部１０２に表示させるようにしてもよい。また、第２情報の表示に、第１情報の表示をブレンド（混合）させてもよい。この場合、ユーザからの操作を受け付けない場合、第１情報のみを表示部１０２に表示させるようにしてもよい。【００２６】
受付部１０７は、第１情報および第２情報が表示部１０２に表示されている際に、どちらの情報を表示部１０２に表示させるかを選択する指示をユーザから受け付ける。この場合、表示制御部１０６は、受付部１０７によって受け付けられた選択指示に基づいて、第１情報および第２情報のいずれかのみを表示部１０２に表示する。受付部１０７は、具体的には、表示部１０２に表示されたキーがユーザによって操作されたか否かを判断し、キーが操作された場合、そのキーに基づいた指示を受け付ける。【００２７】
計時部１０８は、表示制御部１０６によって、第１情報を表示部１０２の一部に再表示してから所定時間が経過したか否かを計時する。この場合、表示制御部１０６は、計時部１０８によって所定時間が経過したと計時された場合、あらかじめ設定された指示に基づいて、第１情報および第２情報のいずれかのみを表示部１０２に表示する。【００２８】
（情報表示装置の情報表示処理手順）
つぎに、情報表示装置１００の情報表示処理手順について説明する。図２は、情報表示装置の情報表示処理手順を示すフローチャートである。図２のフローチャートにおいて、まず、受信部１０１によって放送波を受信する（ステップＳ２０１）。そして、表示部１０２に、ステップＳ２０１において受信した放送波の中の一のチャンネルに対応した信号に基づく第１情報を表示する（ステップＳ２０２）。【００２９】
つぎに、検知部１０３によって、ステップＳ２０２において表示部１０２に表示された第１情報に対応する信号の受信状態を検知する（ステップＳ２０３）。そして、第１情報に対応する信号の受信状態が悪化したか否かを判断して（ステップＳ２０４）、受信状態が悪化した場合（ステップＳ２０４：Ｙｅｓ）、判断部１０４によって表示部１０２に表示される情報が第１情報から第２情報に変更されたと判断されるまで待機する（ステップＳ２０５：Ｎｏのループ）。ここで、第２情報は、たとえばステップＳ２０１において受信された放送波に含まれる、第１情報とは異なるチャンネルに対応した信号に基づく情報や、ＤＶＤ等の放送波を受信しない信号に基づく情報である。【００３０】
ステップＳ２０４においては、具体的には、たとえば、第１情報に対応する信号の電界強度が所定値以下か否かを判断して、電界強度が所定値以下の場合、受信状態が悪化したと判断する。また、たとえば、第１情報に対応する信号のエラー率が所定値以上か否かを判断して、エラー率が所定値以上の場合、受信状態が悪化したと判断してもよい。【００３１】
ステップＳ２０５において、表示部１０２に表示される情報が第１情報から第２情報に変更されたと判断された場合（ステップＳ２０５：Ｙｅｓ）、監視部１０５によって第１情報に対応する信号の受信状態を監視する（ステップＳ２０６）。そして、第１情報に対応する信号の受信状態が良好な状態に戻った場合（ステップＳ２０７：Ｙｅｓ）、表示制御部１０６によって、第２情報の表示を継続したまま、第１情報を表示部１０２の一部に再表示して（ステップＳ２０８）、一連の処理を終了する。【００３２】
一方、ステップＳ２０４において、第１情報に対応する信号の受信状態が良好な場合（ステップＳ２０４：Ｎｏ）、ステップＳ２０１に戻り、以降の処理を繰り返しおこなう。また、ステップＳ２０７において第１情報に対応する信号の受信状態が良好な状態に戻らない場合（ステップＳ２０７：Ｎｏ）、ステップＳ２０６に戻り、以降の処理を繰り返しおこなう。【００３３】
なお、図２のフローチャートにおいては、ステップＳ２０８の後に、受付部１０７によって、第１情報および第２情報がともに表示部１０２に表示されている際に、どちらの情報を表示部１０２に表示させるかを選択する指示をユーザから受け付けてもよい。この場合、表示制御部１０６は、受付部１０７によって受け付けられた選択指示に基づいて、第１情報および第２情報のいずれかのみを表示部１０２に表示する。【００３４】
また、図２のフローチャートにおいては、ステップＳ２０８の後に、計時部１０８によって、第１情報を表示部１０２の一部に再表示してから所定時間が経過したか否かを計時してもよい。この場合、表示制御部１０６は、計時部１０８によって所定時間が経過したと計時された場合、あらかじめ設定された指示に基づいて、第１情報および第２情報のいずれかのみを表示部１０２に表示する。【００３５】
また、図２のフローチャートにおいては、ステップＳ２０８において第１情報を第２情報と同じサイズもしくはより小さいサイズで表示部１０２の一部に再表示してもよいし、第１情報を段階的にサイズを変えながら再表示してもよい。【００３６】
上述したように、本実施の形態の情報表示装置１００によれば、判断部１０４によって、表示部１０２に表示される情報が第１情報から第２情報に変更されたと判断された場合、監視部１０５によって第１情報に対応する信号の受信状態が良好な状態に戻ったか否かを監視することができる。そして、第１情報の信号の受信状態が良好な状態に戻った場合、表示制御部１０６によって第２情報の表示を継続したまま、第１情報を表示部１０２の一部に再表示することができる。したがって、第１情報の受信状態が悪化して、表示部１０２に表示される情報が第２情報に変更された後に、第１情報の受信状態が良好な状態に戻った場合、第２情報と第１情報とをともに表示部１０２に表示することができる。これによって、ユーザは、表示中の第２情報を表示させたまま、元々視聴していた第１情報の受信状態が良好となったことを知ることができ、さらに受信状態が良好な状態に戻った後の第１情報の内容を確認することができる。【００３７】
また、本実施の形態の情報表示装置１００によれば、受付部１０７によって第１情報および第２情報が表示部１０２に表示されている際に、どちらの情報を表示部１０２に表示させるかを選択する指示をユーザから受け付けて、この選択指示に基づいて、表示制御部１０６によって、第１情報および第２情報のいずれかのみを表示部１０２に表示することができる。したがって、第２情報を表示中に、ユーザが元々視聴していた第１情報の受信状態が良好な状態に戻った場合、表示部１０２に表示する情報を、ユーザからの指示を受け付けることで制御することができる。これによって、利用者は、第２情報の表示を続けるか、元々視聴していた第１情報の表示に戻すかを、元々視聴していた第１情報の内容を確認しながら選択することができる。【００３８】
また、本実施の形態の情報表示装置１００によれば、計時部１０８によって所定時間が経過したと計時された場合、あらかじめ設定された指示に基づいて、表示制御部１０６によって第１情報および第２情報のいずれかのみを表示部１０２に表示することができる。したがって、第１情報および第２情報がともに表示されていて、たとえばユーザからの指示を所定時間以上受け付けない場合、自動的に第１情報または第２情報のみを表示することができる。これによって、ユーザは、あらかじめ設定した指示に基づいて、所望の情報を表示させることができる。さらに、ユーザは、あらかじめ設定した指示と異なる情報を表示したい場合にのみ、情報を選択する操作をおこなえばよいため、操作をおこなう手間をより省くことができる。【００３９】
また、本実施の形態の情報表示装置１００によれば、表示制御部１０６によって第１情報を第２情報と同じサイズもしくはより小さいサイズで表示部１０２の一部に再表示することができる。したがって、第１情報を再表示する際に、表示中の第２情報の表示が見にくくなることを防ぐことができる。これによって、利用者は、第１情報および第２情報の内容をともに確認することができる。【００４０】
また、本実施の形態の情報表示装置１００によれば、表示制御部１０６によって第１情報を段階的にサイズを変えながら再表示することができる。これによって、ユーザは、表示中の第２情報と、再表示された第１情報とを、簡単に区別することができる。【００４１】
また、本実施の形態の情報表示装置１００によれば、判断部１０４によって第１情報に対応する信号の電界強度が所定値以下の場合、または第１情報に対応する信号のエラー率が所定値以上の場合、表示部１０２に表示される情報が第１情報から第２情報に変更されたか否かを判断することができる。これによって、ユーザは、デジタル放送における所望のチャンネルを視聴している場合に、このチャンネルの受信状態が悪化したことを判断させることができる。
【実施例】
【００４２】
以下に、本発明の実施例について説明する。本実施例では、たとえば、車両（四輪車、二輪車を含む）などの移動体に搭載される移動体放送受信装置によって、本発明の情報表示装置を実施した場合の一例について説明する。なお、本実施例においては、移動体放送受信装置によって受信する放送波が、テレビジョン放送波の場合について説明するが、これに限るものではない。具体的には、たとえば、放送波は、ラジオ放送波やインターネット放送波などでもよい。また、放送波には、複数のチャンネルに対応した信号が含まれていてもよいし、単一のチャンネルに対応した信号のみを含んでいてもよい。【００４３】
（移動体放送受信装置のハードウェア構成）
つぎに、本実施例にかかる移動体放送受信装置３００のハードウェア構成について説明する。図３は、本実施例にかかる移動体放送受信装置のハードウェア構成の一例を示すブロック図である。図３に示すように、移動体放送受信装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、を備えている。各構成部３０１〜３１３は、バス３２０によってそれぞれ接続されている。【００４４】
まず、ＣＰＵ３０１は、移動体放送受信装置３００の全体の制御を司る。ＲＯＭ３０２は、ブートプログラム、情報表示プログラム、受信状態検知プログラム、情報変更判断プログラム、受信状態監視プログラム、表示制御プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、移動体放送受信装置３００の全体の制御を司る。【００４５】
情報表示プログラムは、後述する通信Ｉ／Ｆ３１３において、アンテナ部よって受信されたテレビジョン放送波に含まれ、チューナー部によって選局された一のチャンネルに対応した信号に基づく情報（第１情報）を、デコード部を介して後述するディスプレイ３１２に表示させる。テレビジョン放送波は、放送局より送信され、複数のチャンネルに対応した信号を含む電波である。【００４６】
受信状態検知プログラムは、たとえば、情報表示プログラムによってディスプレイ３１２に表示されている第１情報の受信状態を検知させる。具体的には、たとえば、通信Ｉ／Ｆ３１３によって受信されているテレビジョン放送波に含まれる一のチャンネルに対応した信号の電界強度やエラー率の状態を検知させる。【００４７】
表示情報変更判断プログラムは、受信状態検知プログラムによって検知されたテレビジョン放送波に含まれる一のチャンネルに対応した信号の受信状態が悪化した場合、後述するディスプレイ３１２に表示される情報が第１情報から第２情報へ変更されたか否かを判断させる。受信状態が悪化したか否かの判断は、たとえば、電界強度が所定値以下の場合やエラー率が所定値以上の場合に、受信状態が悪化したと判断させる。また、表示情報変更判断プログラムによって第１情報から変更されたと判断される情報は、同じテレビジョン放送波に含まれる他のチャンネルに対応した信号に基づく情報でもよいし、ＤＶＤやＨＤ等の他の情報ソースでもよい。【００４８】
受信状態監視プログラムは、表示情報変更判断プログラムによってディスプレイ３１２に表示される情報が変更されたと判断された場合、第１情報に対応する信号の受信状態が復帰したか否かを監視させる。具体的には、たとえば、第１情報に対応する信号の電界強度が所定値より大きい場合やエラー率が所定値より小さい場合に、受信状態が復帰したと判断させる。【００４９】
表示制御プログラムは、受信状態監視プログラムによって第１情報の受信状態が復帰したと判断された場合、第２情報の表示を継続したまま、第１情報をディスプレイ３１２の一部に再表示させる。なお、表示位置や表示方法については、後述する。【００５０】
また、表示制御プログラムは、第２情報および第１情報がともにディスプレイ３１２に表示されているときに、どちらの情報をディスプレイ３１２に表示させるかを選択する指示をユーザから受け付けた場合、受け付けられた指示に基づいて、第１情報および第２情報のいずれかのみをディスプレイ３１２に表示させてもよい。さらに、表示制御プログラムは、第２情報および第１情報がともにディスプレイ３１２に表示されているときに、所定時間が経過してもユーザからの指示を受け付けない場合、あらかじめ設定された指示に基づいて、第１情報および第２情報のいずれかのみをディスプレイ３１２に表示させてもよい。【００５１】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。【００５２】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。【００５３】
磁気ディスク３０５および光ディスク３０７などの記録媒体に記録される情報の一例としては、映像情報や音声情報、文字情報などが挙げられる。具体的には、たとえばすでに受信された放送波に含まれる各チャンネルに対応する信号が記録されていてもよいし、映画やコンサートなどの映像情報および音声情報が記録されていてもよい。【００５４】
また、移動体放送受信装置３００がナビゲーション機能を備えている場合、磁気ディスク３０５および光ディスク３０７には、地図情報や機能データが記録されていてもよい。地図情報は、建物、河川、地表面などの地物（フィーチャ）をあらわす背景データと、道路の形状をあらわす道路形状データとを含んでおり、地区ごとに分けられた複数のデータファイルによって構成されている。また、地図情報には、車両の現在地点が重畳して表示される。【００５５】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。【００５６】
機能データは、地図上の施設の形状をあらわす３次元データ、当該施設の説明をあらわす文字データ、その他地図情報以外の各種のデータである。地図情報や機能データは、地区ごとあるいは機能ごとにブロック分けされた状態で記録されている。具体的には、たとえば、地図情報は、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。【００５７】
また、機能データは、上述した３次元データや文字データに加えて、経路探索、所要時間の算出、経路誘導などを実現するプログラムデータなどの機能を実現するためのデータである。地図情報および機能データは、それぞれ、地区ごとあるいは機能ごとに分けられた複数のデータファイルによって構成されている。【００５８】
なお、移動体放送受信装置３００は、図示を省略するが、フラッシュメモリを備えていてもよい。フラッシュメモリは、書き換え自在な不揮発性半導体メモリであり、ＣＰＵ３０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した映像情報や音声情報、文字情報または地図情報や機能データなどが挙げられる。また、フラッシュメモリは、ＲＯＭ３０２としての機能を有していてもよい。すなわち、フラッシュメモリは、上述の各プログラムを記録していてもよい。【００５９】
音声Ｉ／Ｆ３０８は、音声出力用のスピーカ３０９に接続される。スピーカ３０９からは、所定の音声信号を音声Ｉ／Ｆ３０８内でＤ／Ａ変換した音声が出力される。【００６０】
入力デバイス３１０は、文字、数値、各種指示などの入力のための複数のキーを備えたリモコン、キーボード、タッチパネルなどが挙げられる。入力デバイス３１０は、リモコン、キーボード、タッチパネルのうちいずれか１つの形態によって実現されてもよいが、複数の形態によって実現することも可能である。【００６１】
映像Ｉ／Ｆ３１１は、ディスプレイ３１２に接続される。映像Ｉ／Ｆ３１１は、具体的には、たとえば、ディスプレイ３１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１２を制御する制御ＩＣなどによって構成される。【００６２】
ディスプレイ３１２には、アイコン、カーソル、メニュー、ウインドウ、あるいは文字や画像などの各種データが表示される。ディスプレイ３１２としては、たとえば、ＣＲＴ、ＴＦＴ液晶ディスプレイ、プラズマディスプレイなどを用いることができる。【００６３】
通信Ｉ／Ｆ３１３は、無線を介してネットワークに接続され、移動体放送受信装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。【００６４】
通信網には、ＬＡＮ、ＷＡＮ、公衆回線網や携帯電話網などがある。具体的には、通信Ｉ／Ｆ３１３は、たとえば、ＦＭチューナーなどによって構成される。【００６５】
また、通信Ｉ／Ｆ３１３は、放送局からのテレビジョン放送波を受信するアンテナ部、選局された番組（チャンネル）のテレビジョン放送波をアンテナ部から受信し、デジタル信号に変換するチューナー部、チューナー部により変換されたデジタル信号を映像情報や音声情報に分離するデコード部などを備えている。【００６６】
図１に示した情報表示装置１００が備える受信部１０１、表示部１０２、検知部１０３、判断部１０４、監視部１０５、表示制御部１０６、受付部１０７、計時部１０８は、図３に示した移動体放送受信装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、移動体放送受信装置３００における各部を制御することによってその機能を実現する。【００６７】
すなわち、実施例の移動体放送受信装置３００は、移動体放送受信装置３００における記録媒体としてのＲＯＭ３０２に記録されている情報表示プログラムを実行することにより、図１に示した情報表示装置１００が備える機能を、図２に示した情報表示処理手順で実行することができる。【００６８】
（移動体放送受信装置の処理の内容）
つぎに、移動体放送受信装置３００の処理の内容について説明する。図４は、移動体放送受信装置の処理の内容を示すフローチャートである。図４のフローチャートにおいて、まず、テレビジョン放送の一のチャンネルが選局されるまで待機して（ステップＳ４０１：Ｎｏのループ）、テレビジョン放送の一のチャンネルが選局された場合（ステップＳ４０１：Ｙｅｓ）、通信Ｉ／Ｆ３１３によって放送波を受信する（ステップＳ４０２）。【００６９】
つぎに、ステップＳ４０２において受信された放送波の中の、ステップＳ４０１において選局された一のチャンネルに対応した信号に基づく情報（第１情報）をディスプレイ３１２に表示する（ステップＳ４０３）。そして、ステップＳ４０３においてディスプレイ３１２に表示されている第１情報に対応する信号の受信状態を検知する（ステップＳ４０４）。【００７０】
つぎに、ステップＳ４０４において検知されている受信状態が悪化したか否かを判断する（ステップＳ４０５）。ステップＳ４０５において受信状態が良好であると判断された場合（ステップＳ４０５：Ｎｏ）、ステップＳ４０２に戻り、以降の処理を繰り返しおこなう。【００７１】
そして、ステップＳ４０５において、受信状態が悪化したと判断された場合（ステップＳ４０５：Ｙｅｓ）、ディスプレイ３１２に表示される情報が他の情報ソースに変更されたか否かを判断する（ステップＳ４０６）。ステップＳ４０６において他の情報ソースに変更されていないと判断された場合（ステップＳ４０６：Ｎｏ）、ディスプレイ３１２に表示される情報が、ステップＳ４０１において選局されたチャンネル以外の、他のチャンネルに変更されたか否かを判断する（ステップＳ４０７）。ステップＳ４０７において他のチャンネルに変更されていない場合（ステップＳ４０７：Ｎｏ）、ステップＳ４０６に戻り、以降の処理を繰り返しおこなう。【００７２】
ここで、ステップＳ４０６において変更された他の情報ソースに関する情報、またはステップＳ４０７において変更された他のチャンネルに対応する信号に基づく情報を第２情報とする。なお、第１情報から第２情報への変更は、ユーザからの指示を受け付けることによって変更してもよいし、あらかじめ設定された指示に基づいて、自動的に変更してもよい。【００７３】
そして、ステップＳ４０６において他の情報ソースに変更されたと判断された場合（ステップＳ４０６：Ｙｅｓ）、ステップＳ４０７において他のチャンネルに変更された場合（ステップＳ４０７：Ｙｅｓ）、変更される前の第１情報に対応する信号の受信状態が復帰するまで待機する（ステップＳ４０８：Ｎｏのループ）。ステップＳ４０８において、第１情報に対応する信号の受信状態が復帰したと判断された場合（ステップＳ４０８：Ｙｅｓ）、第２情報の表示を継続したまま、第１情報をディスプレイ３１２の一部に再表示する（ステップＳ４０９）。なお、表示位置や表示方法等については、後述する。【００７４】
つぎに、ステップＳ４０９において第１情報および第２情報がディスプレイ３１２に表示されている際に、ユーザから、どちらの情報をディスプレイ３１２に表示させるかを選択する指示を受け付けたか否かを判断する（ステップＳ４１０）。ステップＳ４１０において、指示を受け付けない場合（ステップＳ４１０：Ｎｏ）、ステップＳ４０９において第１情報および第２情報がディスプレイ３１２に表示されてから所定時間が経過したか否かを計時する（ステップＳ４１１）。ステップＳ４１１において所定時間が経過していない場合（ステップＳ４１１：Ｎｏ）、ステップＳ４１０に戻り、以降の処理を繰り返しおこなう。【００７５】
そして、ステップＳ４１０においてユーザから指示を受け付けた場合（ステップＳ４１０：Ｙｅｓ）、ステップＳ４１１において所定時間が経過した場合（ステップＳ４１１：Ｙｅｓ）、ステップＳ４１０において受け付けた指示、もしくはあらかじめ設定された指示に基づいてディスプレイ３１２に表示して（ステップＳ４１２）、一連の処理を終了する。【００７６】
なお、図４のフローチャートにおいて、ステップＳ４１２においては、第１情報または第２情報のみを表示してもよいし、第１情報および第２情報をともに表示してもよい。この表示位置や表示方法などについては後述する。【００７７】
（移動体放送受信装置における情報表示方法の一例）
つぎに、移動体放送受信装置３００における情報表示方法の一例について説明する。図５は、移動体放送受信装置における情報表示方法の一例について示す説明図である。図５においては、第１情報と第２情報とを異なる情報ソースとする。具体的には、第１情報５１０の情報ソースをテレビジョン放送とし、第２情報５３０の情報ソースをＤＶＤとする。図５に示すように、まず、図４のステップＳ４０３において第１情報５１０をディスプレイ３１２に表示すると、ディスプレイ３１２には第１情報５１０の映像信号が表示される（画面Ａ）。【００７８】
そして、第１情報５１０に対応する信号の受信状態が悪化すると、ディスプレイ３１２には、第１情報５１０の映像信号が途絶え、第１情報５１０が表示されなくなる（画面Ｂ）。このとき、図４のステップＳ４０５において受信状態が悪化したと判断される。【００７９】
つぎに、ユーザの操作または移動体放送受信装置３００にあらかじめ設定された指示によって、ディスプレイ３１２には第２情報５３０が表示される（画面Ｃ）。このとき、図４のステップＳ４０６においては、他の情報ソースに変更されたと判断される。そして、第１情報５１０に対応する信号の受信状態を監視しながら、ディスプレイ３１２には第２情報５３０を表示し続ける。【００８０】
つぎに、第１情報５１０に対応する信号の受信状態が復帰した場合、図４のステップＳ４０９において、第２情報５３０の表示を継続したまま、第１情報５１０をディスプレイ３１２の一部に再表示する（画面Ｄ）。すなわち、テレビジョン放送と、ＤＶＤと、の異なる情報ソースをともに表示する（第１情報＋第２情報５２０）。【００８１】
そして、図４のステップＳ４１２においては、図４のステップＳ４１０：Ｙｅｓにおいてユーザから受け付けた指示、またはステップＳ４１１：Ｙｅｓにおいて画面Ｄになってから所定時間経過した場合にあらかじめ設定されていた指示に基づいて、ディスプレイ３１２に画面Ｅ１〜Ｅ３のいずれかの表示をおこなう。【００８２】
（移動体放送受信装置における第１情報の再表示領域および視覚効果の一例）
つぎに、移動体放送受信装置３００における第１情報の再表示領域および視覚効果の一例について説明する。図６は、移動体放送受信装置における第１情報の再表示領域および視覚効果の一例について示す説明図である。図６においては、第１情報の再表示領域６１０が、第２情報の表示領域６２０より小さい場合について説明する。【００８３】
図６に示すように、図４のステップＳ４０９において第２情報の表示を継続したまま、第１情報をディスプレイ３１２の一部に再表示する場合（図５の画面Ｄ）、たとえば第１情報の再表示領域６１０をディスプレイ３１２の右下の領域に、第２情報の表示領域６２０に重なるように表示する。ここで、第１情報の再表示領域６１０は、右下でなくてもよい。具体的には、ディスプレイ３１２の上下中左右、もしくは、それぞれの中間位置（たとえば左下など）でもよい。すなわち、第１情報の再表示領域６１０は、第２情報の表示を邪魔しない位置であればよい。【００８４】
図６に示す表示領域の場合の視覚効果としては、たとえば、第１情報の再表示領域６１０を矢印ｄ１に示すように徐々に大きくすることが挙げられる。この場合、第２情報の表示領域６２０を徐々に小さくして、所定時間後に第１情報のみを表示するようにしてもよい。【００８５】
また、図６に示す表示領域の場合の他の視覚効果としては、たとえば、第１情報の再表示領域６１０を矢印ｄ２に示すように徐々に小さくすることが挙げられる。また、第１情報の再表示領域６１０を徐々に小さくする場合、矢印ｄ２に示すように徐々に小さくした後、元の第１情報の再表示領域６１０の大きさに戻し、再度矢印ｄ２に示すように徐々に小さくしてもよい。さらに、徐々に小さくし、元の大きさに戻す処理を複数回繰り返してもよい。このように繰り返すことで、ユーザが第１情報の表示を見逃すのを防止することができる。【００８６】
（移動体放送受信装置における第１情報の再表示領域および視覚効果の他の一例）
つぎに、移動体放送受信装置３００における第１情報の再表示領域および視覚効果の他の一例について説明する。図７は、移動体放送受信装置における第１情報の再表示領域および視覚効果の他の一例について示す説明図である。図７においては、第１情報の再表示領域７１０が、第２情報の表示領域７２０と同じ大きさの場合について説明する。【００８７】
図７に示すように、図４のステップＳ４０９において第２情報の表示を継続したまま、第１情報をディスプレイ３１２の一部に再表示する場合（図５の画面Ｄ）、たとえば第１情報の再表示領域７１０をディスプレイ３１２の右側の領域に、第２情報の表示領域７２０に重ならないか、もしくは第２情報の表示を邪魔しない程度で重なるように表示する。ここで、第１情報の再表示領域７１０は、右側でなくてもよい。具体的には、ディスプレイ３１２の上下左右、もしくは、それぞれの中間位置（第２情報を左上、第１情報を右下など）でもよい。すなわち、第１情報の再表示領域７１０は、第２情報の表示を邪魔しない位置であればよい。【００８８】
また、図７に示す表示領域の場合の視覚効果としては、第１情報の再表示領域７１０を矢印ｄ３に示す方向にスライドさせていくことが挙げられる。この場合、ディスプレイ３１２における第１情報の再表示領域７１０を徐々に広げていき、所定時間後に第１情報のみを表示するようにしてもよい。【００８９】
また、図７に示す表示領域の場合の、他の視覚効果としては、第１情報の再表示領域７１０を矢印ｄ４に示す方向にスライドさせていくことが挙げられる。この場合、ディスプレイ３１２における第１情報の再表示領域７１０を徐々に狭めていき、所定時間後に第２情報のみを表示するようにしてもよい。【００９０】
上述したように、実施例にかかる移動体放送受信装置３００によれば、選局されたテレビジョン放送の一のチャンネルの受信状態が悪化し、ＤＶＤなどの他のソースやテレビジョン放送の他のチャンネルに変更した後に、一のチャンネルの受信状態を監視することができる。そして、一のチャンネルの受信状態が復帰した場合には、表示中の情報とともに、ディスプレイの一部に一のチャンネルの放送内容を表示することができる。これによって、ユーザは、元々視聴していた一のチャンネルの放送内容を確認しながら、表示中の情報と比べることができる。したがって、ユーザが表示中の情報を視聴し続けたいのに、元々視聴していた一のチャンネルに自動的に変更されることがない。【００９１】
また、実施例にかかる移動体放送受信装置３００によれば、表示中の情報とともに、元々視聴していた情報を表示しているときに、ユーザからどちらかの情報を表示する指示を受け付けることで、ユーザが所望する情報のみをディスプレイに表示することができる。これによって、ユーザは、情報の内容を確認しながら、ディスプレイに表示させる所望の情報を決定することができる。このように、ユーザは、元々視聴していた一のチャンネルの受信状態が復帰したときに、そのチャンネルを再度選局し、放送内容を確認する手間が省けるため、ディスプレイに表示させる情報を簡単に決定することができる。【００９２】
さらに、実施例にかかる移動体放送受信装置３００によれば、ユーザからの指示を所定時間以上受け付けない場合、あらかじめ設定された指示に基づいて、ユーザが所望する情報のみをディスプレイに表示することができる。これによって、ユーザが、たとえばあらかじめ２つの情報のいずれかをディスプレイに表示させるかの指示を設定しておけば、表示させたい情報が変わったときのみ操作をおこなえばよいため、よりディスプレイに表示させる情報を決定する操作が簡単になる。【００９３】
また、実施例にかかる移動体放送受信装置３００によれば、ユーザからの指示を受け付けるまで待機している間、様々な視覚効果によって第１情報の表示を変更することができる。これによって、利用者は、ディスプレイに２つの情報が表示されているときでも、受信状態が復帰した第１情報がどちらの情報であるかを簡単に確認することができる。【００９４】
以上説明したように、本発明の情報表示装置、情報表示方法、情報表示プログラムおよび記録媒体によれば、移動体など放送波の受信状態が悪化する可能性のある状況において、受信状態が悪化したために変更されたチャンネルの受信状態が良好な状態に復帰したときの放送内容を、表示中の他の情報の表示を継続したまま、表示部の一部に表示することができる。【００９５】
なお、本実施の形態で説明した情報表示方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2010038277.tif 000003
【図２】
2010038277.tif 000004
【図３】
2010038277.tif 000005
【図４】
2010038277.tif 000006
【図５】
2010038277.tif 000007
【図６】
2010038277.tif 000008
【図７】
2010038277.tif 000009
【国際調査報告】
2010038277.tif 000010
2010038277.tif 000011
2010038277.tif 000012